(57)【特許請求の範囲】
【請求項１】
複数の通信方式のいずれかで発信を開始する通信部と、
前記通信部を用いた発信を開始するための発信操作、および前記通信部による通信方式を切り替えるための切り替え操作が入力される操作部と、
前記発信操作に基づいて前記通信方式のいずれかを用いる通信の開始確認を当該通信の発信が開始される前に報知する際に、前記切り替え操作を禁止する制御部と
を有する通信装置。
【請求項２】
前記通信部は、第１の通信方式を用いて発信を行う第１の通信部、及び第２の通信方式を用いて発信を行う第２の通信部であって、
前記制御部は、前記操作部に前記第２の通信部による発信を開始させるための前記発信操作が入力された場合に、前記第２の通信方式を用いて前記通信部により実行される発信の開始確認を報知する際に、前記第１通信方式への切り替え操作を禁止する請求項１に記載の通信装置。
【請求項３】
前記制御部は、前記第１の通信部又は前記第２の通信部のいずれで発信を開始させることを選択させるインターフェースをディスプレイに表示させる請求項２に記載の通信装置。
【請求項４】
複数の通信方式のいずれかで発信を開始する通信部と、操作が入力される操作部とを有する通信装置を制御する方法であって、
前記通信部を用いた発信を開始するための発信操作が入力されるステップと、
前記発信操作に基づいて前記通信方式のいずれかを用いる通信の開始確認を当該通信の発信が開始される前に報知する際に、前記通信部による通信方式を切り替えるための切り替え操作を禁止するステップと
を含む通信方法。
【請求項５】
複数の通信方式のいずれかで発信を開始する通信部と、操作が入力される操作部とを有する通信装置に、
前記通信部を用いた発信を開始するための発信操作が入力されるステップと、
前記発信操作に基づいて前記通信方式のいずれかを用いる通信の開始確認を当該通信の発信が開始される前に報知する際に、前記通信部による通信方式を切り替えるための切り替え操作を禁止するステップと
を実行させる通信プログラム。
【発明の詳細な説明】
【技術分野】
【０００１】
本出願は、通信装置、通信方法、及び通信プログラムに関する。特に、本出願は、タッチスクリーンを有する通信装置、その通信装置を制御する方法、及びその通信装置を制御するためのプログラムに関する。
【背景技術】
【０００２】
タッチスクリーンを備えるタッチスクリーンデバイスが知られている。タッチスクリーンデバイスは、例えば、スマートフォン及びタブレットを含むが、これらに限定されない。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、及びＷｉｎｄｏｗｓ（登録商標）  Ｐｈｏｎｅを含むが、これらに限定されない。
【０００４】
タッチスクリーンデバイスなどの通信装置の中には、契約した通信事業者により提供される通信ネットワークを利用して、他の端末との間で通話を含む通信を行うことができるものもある。
【先行技術文献】
【特許文献】
【０００５】
【特許文献１】国際公開第２００８／０８６３０２号
【発明の概要】
【発明が解決しようとする課題】
【０００６】
タッチスクリーンデバイスなどの通信装置では、通話を行う場合に、１台の装置で複数の電話番号を利用できるものがあるが、電話番号ごとに契約が必要となるなど、料金が高くなってしまう場合がある。このように、タッチスクリーンデバイスを用いて通話を行う場合、必ずしもユーザーフレンドリーとはいえない面もあるのが現状である。
【０００７】
上記のことから、ユーザーフレンドリーな通信サービスに対応した処理を行うことができる通信装置、通信方法、及び通信プログラムに対する必要性がある。
【課題を解決するための手段】
【０００８】
１つの態様に係る通信装置は、複数の通信方式のいずれかで発信を開始する通信部と、前記通信部を用いた発信を開始するための発信操作、および前記通信部による通信方式を切り替えるための切り替え操作が入力される操作部と、前記発信操作に基づいて前記通信方式のいずれかを用いる通信の開始確認を当該通信の発信が開始される前に報知する際に、前記切り替え操作を禁止する制御部とを有する。
【０００９】
１つの態様に係る通信方法は、複数の通信方式のいずれかで発信を開始する通信部と、操作が入力される操作部とを有する通信装置を制御する方法であって、前記通信部を用いた発信を開始するための発信操作が入力されるステップと、前記発信操作に基づいて前記通信方式のいずれかを用いる通信の開始確認を当該通信の発信が開始される前に報知する際に、前記通信部による通信方式を切り替えるための切り替え操作を禁止するステップとを含む。
【００１０】
１つの態様に係る通信プログラムは、複数の通信方式のいずれかで発信を開始する通信部と、操作が入力される操作部とを有する通信装置に、前記通信部を用いた発信を開始するための発信操作が入力されるステップと、前記発信操作に基づいて前記通信方式のいずれかを用いる通信の開始確認を当該通信の発信が開始される前に報知する際に、前記通信部による通信方式を切り替えるための切り替え操作を禁止するステップとを実行させる。
【図面の簡単な説明】
【００１１】
【図１】図１は、実施形態に係るスマートフォンの斜視図である。
【図２】図２は、スマートフォンの正面図である。
【図３】図３は、スマートフォンの背面図である。
【図４】図４は、ホーム画面の例を示す図である。
【図５】図５は、スマートフォンのブロック図である。
【図６】図６は、ディスプレイに表示される通話設定インターフェースの一例を示す図である。
【図７】図７は、ＰＨＳ方式による通話に関する操作を受け付けるためのユーザインタフェースの一例を示す図である。
【図８】図８は、３Ｇ方式による通話に関する操作を受け付けるためのユーザインタフェースの一例を示す図である。
【図９】図９は、制御プログラムが提供する機能に基づく制御の例について説明するための図である。
【図１０】図１０は、制御プログラムが提供する機能に基づく制御の処理手順の例を示す図である。
【図１１】図１１は、制御プログラムが提供する機能に基づく制御の例について説明するための図である。
【図１２】図１２は、制御プログラムが提供する機能に基づく制御の処理手順の例を示す図である。
【図１３】図１３は、制御プログラムが提供する機能に基づく制御の処理手順の例を示す図である。
【図１４】図１４は、確認通知の他の例を示す図である。
【図１５】図１５は、ユーザインタフェースの他の例を示す図である。
【図１６】図１６は、ディスプレイに表示される発信中画面の一例を示す図である。
【図１７】図１７は、ディスプレイに表示される通話中画面の一例を示す図である。
【図１８】図１８は、ディスプレイに表示される通話終了画面の一例を示す図である。
【図１９】図１９は、ディスプレイに表示される発信中画面の一例を示す図である。
【図２０】図２０は、ディスプレイに表示される通話中画面の一例を示す図である。
【図２１】図２１は、ディスプレイに表示される通話終了画面の一例を示す図である。
【図２２】図２２は、制御プログラムが提供する機能に基づく制御の処理手順の例を示す図である。
【図２３】図２３は、通信方式の報知する他の例を示す図である。
【図２４】図２４は、通信方式の報知する他の例を示す図である。
【図２５】図２５は、制御プログラムが提供する機能に基づく制御の例について説明するための図である。
【図２６】図２６は、制御プログラムが提供する機能に基づく制御の処理手順の例を示す図である。
【図２７】図２７は、制御プログラムが提供する機能に基づく制御の処理手順の例を示す図である。
【図２８】図２８は、制御プログラムが提供する機能に基づく制御の処理手順の例を示す図である。
【図２９】図２９は、通話時間の管理例を示す図である。
【図３０】図３０は、制御プログラムが提供する機能に基づく制御の処理手順の例を示す図である。
【発明を実施するための形態】
【００１２】
本出願に係る通信装置、通信方法、及び通信プログラムを実施するための実施形態を、図面を参照しつつ詳細に説明する。以下では、タッチスクリーンを備える通信装置の例として、スマートフォンについて説明する。
【００１３】
（実施形態１）
図１から図３を参照しながら、実施形態１に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１４】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１５】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１６】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１７】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト（接触物）」と呼ぶことがある。
【００１８】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１９】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２０】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００２１】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２２】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２３】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２４】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２５】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２６】
本実施形態では、１本の指により行われるジェスチャを「シングルタッチジェスチャ」と呼ぶことがある。本実施形態では、２本以上の指により行われるジェスチャを「マルチタッチジェスチャ」と呼ぶことがある。ピンチインおよびピンチアウトは、マルチタッチジェスチャである。タップ、フリックおよびスワイプ等は、１本の指で行われればシングルタッチジェスチャであり、２本以上の指で行われればマルチタッチジェスチャである。
【００２７】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２８】
図４を参照しながら、ディスプレイ２Ａに表示される画面の例について説明する。図４は、ホーム画面の例を示している。ホーム画面は、デスクトップ、待受画面、アイドル画面又は標準画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２９】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。
【００３０】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン、バックスクリーン、アイドル画像又は背景画像と呼ばれることもある。スマートフォン１は、任意の画像を壁紙４１として用いることができる。スマートフォン１は、壁紙４１として表示する画像を利用者が選択できるように構成されてもよい。
【００３１】
スマートフォン１は、複数のホーム画面を有していてよい。スマートフォン１は、例えば、ホーム画面の数を利用者による設定に従って決定する。スマートフォン１は、ホーム画面の数が複数であっても、選択された１つをディスプレイ２Ａに表示する。
【００３２】
スマートフォン１は、ディスプレイ２Ａに表示するホーム画面を変更することができる。スマートフォン１は、ホーム画面の１つを表示中にジェスチャが検出されると、ディスプレイ２Ａに表示するホーム画面を別のホーム画面に変更する。例えば、スマートフォン１は、右フリックを検出すると、ディスプレイ２Ａに表示するホーム画面を１つ左のホーム画面に変更する。例えば、スマートフォン１は、左フリックを検出すると、ディスプレイ２Ａに表示するホーム画面を１つ右のホーム画面に変更する。スマートフォン１は、第１のホーム画面をディスプレイ２Ａに表示中にジェスチャが検出されると、ディスプレイ２Ａに表示される第１のホーム画面の面積が徐々に狭くなり、ディスプレイ２Ａに表示される第２のホーム画面の面積が徐々に広くなるようにディスプレイ２Ａに表示するホーム画面を第１のホーム画面から第２のホーム画面へ変更する。スマートフォン１は、第１のホーム画面が第２のホーム画面に即座に置き換わるようにホーム画面を切り替えてもよい。
【００３３】
ディスプレイ２Ａの上端には、領域４２が設けられている。領域４２には、電源の残量を示す残量マーク４３と、ＰＨＳ方式を用いた通信用の電波の電界強度を示す電波レベルマーク４４ａ、及び３Ｇ方式を用いた通信用の電波の電界強度を示す電波レベルマーク４４ｂ、が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３４】
ディスプレイ２Ａに表示される画面の上下方向について説明する。以下の説明では、タッチスクリーンディスプレイ２において領域４２に近い側が上側であり、領域４２から遠い側が下側である。そして、領域４２において電波レベルマーク４４が表示されている側が右側であり、領域４２において残量マーク４３が表示されている側が左側である。
【００３５】
図４に示したホーム画面４０は、例であり、各種の要素の形態、各種の要素の配置、ホーム画面４０の数、及びホーム画面４０での各種の操作の仕方等は上記の説明の通りでなくてもよい。
【００３６】
図５は、スマートフォン１のブロック図である。スマートフォン１は、タッチスクリーンディスプレイ２と、ボタン３と、照度センサ４と、近接センサ５と、通信ユニット６Ａ及び６Ｂと、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、発光部１８と、バイブレータ１９とを有する。
【００３７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３８】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００３９】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４０】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００４１】
第１通信ユニット６Ａ及び第２通信ユニット６Ｂは、無線により通信する。第１通信ユニット６Ａ及び第２通信ユニット６Ｂによってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。実施形態１において、第１通信ユニット６Ａは、第２通信ユニット６Ｂと異なるセルラーフォンの通信規格をサポートする。第１通信ユニット６Ａ及び第２通信ユニット６Ｂの少なくとも一方が複数の通信規格をサポートする場合は、他方と重複しない通信規格をサポートしている。第１通信ユニット６Ａと第２通信ユニット６Ｂとは、異なる観点からサポートする通信規格が選ばれる。例えば、第２通信ユニット６Ｂとして通話が可能であるもののデータ通信を主とした通信規格をサポートする場合は、第１通信ユニット６Ａとしてデータ通信が可能であるものの通話を主とした通信規格をサポートするように選択される。本実施形態１において、第１通信ユニット６Ａは、データ通信に適したセルラーフォンの通信規格として、Ｗ−ＣＤＭＡをサポートする場合を例えとして採用している。通信ユニット６Ｂは、通話に適したセルラーフォンの通信規格として、ＰＨＳをサポートする場合を例えとして採用している。
【００４２】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００４３】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６Ａ及び６Ｂによる無線通信又は非一過的な記憶媒体を介してストレージ９にインストールされてもよい。
【００４５】
ストレージ９は、例えば、制御プログラム９Ａ、メールアプリケーション９Ｂ、ブラウザアプリケーション９Ｃ、ナビゲートアプリケーション９Ｄ、音楽プレイヤーアプリケーション９Ｅ、カレンダーアプリケーション９Ｆ、計算機アプリケーション９Ｇ、及び設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。ナビゲートアプリケーション９Ｄは、道案内等のためのナビゲーション機能を提供する。音楽プレイヤーアプリケーション９Ｅは、音楽を再生し、レシーバ７またはスピーカ１１から出力するためのプレイヤー機能を提供する。カレンダーアプリケーション９Ｆは、スケジュール管理等のためのカレンダー機能を提供する。計算機アプリケーション９Ｇは、例えば四則演算を行うための計算機機能を提供する。設定データ９Ｚは、スマートフォン１の動作に関する各種の設定に関する情報を含む。例えば、設定データ９Ｚは、通信ユニット６Ａなどを制御することによって実現される通話、又は通信ユニット６Ｂなどを制御することによって実現される通話のいずれを行うかの設定に関する情報などを含む。以下では、説明の便宜上、通信ユニット６Ａなどを制御することによって実現される第１発信を「ＰＨＳ発信」と表記し、通信ユニット６Ａなどを制御することによって実現される第１通話を「ＰＨＳ方式を利用する通話」と表記する。通信ユニット６Ｂなどを制御することによって実現される第２発信を「３Ｇ発信」と表記し、通信ユニット６Ｂなどを制御することによって実現される第２通話を「３Ｇ方式を利用する通話」と表記する。
【００４６】
制御プログラム９Ａは、スマートフォン１を稼働させるための各種制御に関する機能を提供する。制御プログラム９Ａは、例えば、通信ユニット６Ａ及び６Ｂ、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション９Ｂ等の他のプログラムが提供する機能と組み合わせて利用されることがある。制御プログラム９Ａが提供する機能には、タッチスクリーン２に通信を開始するための操作が受け付けられ、この操作の受付に伴ってＰＨＳ方式及び３Ｇ方式のうちのいずれの通信方式を用いた通信の開始を報知する際に、通信方式の切り替えを禁止する機能が含まれる。制御プログラム９Ａが提供する機能には、ＰＨＳ方式と３Ｇ方式とを切り換える操作を受け付けるユーザインタフェースを提供する機能が含まれる。制御プログラム９Ａが提供する機能には、ＰＨＳ方式による通話に関する操作を受け付けるためのユーザインタフェースを提供する機能が含まれる。制御プログラム９Ａが提供する機能には、３Ｇ方式による通話に関する操作を受け付けるためのユーザインタフェースを提供する機能が含まれる。
【００４７】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００４８】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６Ａ及び６Ｂ、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、レシーバ７、カメラ１２、カメラ１３、加速度センサ１５、方位センサ１６、及びジャイロスコープ１７を含むが、これらに限定されない。
【００４９】
コントローラ１０は、例えば、制御プログラム９Ａを実行することにより、タッチスクリーン２に通信を開始するための操作が受け付けられ、この操作の受付に伴ってＰＨＳ方式及び３Ｇ方式のうちのいずれの通信方式を用いた通信の開始を報知する際に、通信方式の切り替えを禁止する等の各種制御を実行する。コントローラ１０は、例えば、ディスプレイ２Ａに表示されたユーザインタフェースに３Ｇ発信するための操作が受け付けられ、３Ｇ発信の確認通知をディスプレイ２Ａに表示させる際に、通信方式の切り替えを禁止するための各種制御を実行する。
【００５０】
カメラ１２は、フロントフェイス１Ａに面している物体を撮影するインカメラである。カメラ１３は、バックフェイス１Ｂに面している物体を撮影するアウトカメラである。
【００５１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５２】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。発光部１８は、例えば、ＬＥＤ（Ｌｉｇｈｔ  Ｅｍｉｔｔｉｎｇ  Ｄｉｏｄｅ）であり、複数の色で発光する。バイブレータ１９は、振動するモーターである。
【００５３】
図５においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５４】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５５】
図６に、ディスプレイ２Ａに表示される通話設定インターフェースの一例を示す。図６に示す通話設定インターフェース４５をユーザが操作することにより、ＰＨＳ方式か、３Ｇ方式の通信方式が設定される。図６に示す通話設定インターフェース４５をユーザが操作することにより、発信時の通信方式の確認通知を表示させるか否かを設定できる。通話設定インターフェース４５の設定に関する情報は、ストレージ９に記憶されている設定データＺに含まれる。
【００５６】
図７に、ＰＨＳ方式による通話に関するユーザインタフェースの一例を示す。図７の例では、ディスプレイ２ＡにＰＨＳ方式による通話に関する第１ユーザインタフェース４６としてキーパッドが表示されている例であり、発信操作を行うための操作部４６ａの画像が「発信（ＰＨＳ）」となっており、ＰＨＳ発信を受け付ける旨が表示されている。図７に示す第１ユーザインタフェース４６は、通信方式として通話インターフェース４５上でＰＨＳ方式が設定されている場合に、通話機能に対応するアイコンに対する操作に伴ってディスプレイ２Ａに表示される。図７に示すように、第１ユーザインタフェース４６には、ＳＭＳ（Ｓｈｏｒｔ  Ｍｅｓｓａｇｅ  Ｓｅｒｖｉｃｅ）、電話帳機能、キーパッド、発着信履歴閲覧機能などの各種機能に対応する操作部が表示されている。
【００５７】
図８に、３Ｇ方式による通話に関するユーザインタフェースの一例を示す。図８の例では、ディスプレイ２Ａに３Ｇ方式による通話に関する第２ユーザインタフェース４７としてキーパッドが表示されている例であり、発信操作を行うための操作部４７ａの画像が「発信（３Ｇ）」となっており、３Ｇ発信を受け付ける旨が表示されている。図８に示す第２ユーザインタフェース４７は、通信方式として通話インターフェース４５上で３Ｇ方式が設定されている場合に、通話機能に対応するアイコンに対する操作に伴ってディスプレイ２Ａに表示される。図８に示すように、第２ユーザインタフェース４７には、ＳＭＳ（Ｓｈｏｒｔ  Ｍｅｓｓａｇｅ  Ｓｅｒｖｉｃｅ）、電話帳機能、キーパッド、発着信履歴閲覧機能などの各種機能に対応する操作部が表示されている。
【００５８】
図７に示す第１ユーザインタフェース４６と、図８に示す第２ユーザインタフェース４７とは、同様の構成を多く採用している。第１ユーザインタフェース４６及び第２ユーザインタフェース４７は、発信する通信方式に応じて、キーパッド上の発信ボタンの画像が変更される点が異なる。すなわち、スマートフォン１は、操作部４６ａ及び操作部４７ａの画像によって、いずれの通信方式で発信するかが確認できるようにユーザインタフェースが表示されている。
【００５９】
図９を参照しながら、制御プログラム９Ａが提供する機能に基づく制御の例について説明する。図９は、３Ｇ発信を開始するための操作として、例えば、ＰＨＳ方式から３Ｇ方式に通信方式を切り替える操作が行われたときに、３Ｇ発信するか否かの確認通知をディスプレイ２Ａに表示する制御の例を示している。
【００６０】
図９に示すステップＳ１１は、ディスプレイ２Ａに、第１ユーザインタフェース４６が表示された状態を示している。図９に示すステップＳ１２は、ディスプレイ２Ａの上から下へ、ユーザの指Ｆ１によるスワイプが開始されようとしている状態を示している。図９に示すステップＳ１３は、ディスプレイ２Ａに通話設定インターフェース４５が表示された、スワイプ直後のディスプレイ２Ａの状態を示している。図９に示すステップＳ１４は、ユーザの指Ｆ１が、通話設定インターフェース４５上の“３Ｇ”と表記された箇所にタッチした状態を示している。図９に示すステップＳ１５は、通話設定インターフェース４５上の“３Ｇ”と表記された箇所の色が変更された、タッチ直後のディスプレイ２Ａの状態を示している。図９に示すステップＳ１６は、ディスプレイ２Ａの下から上へ、ユーザの指Ｆ１によるスワイプが開始されようとしている状態を示している。図９に示すステップＳ１７は、第２ユーザインタフェース４７がディスプレイ２Ａに表示されるとともに、３Ｇ発信するか否かをユーザに報知する確認通知４７ｂが表示された、スワイプの直後の状態を示している。スマートフォン１は、Ｓ１３〜Ｓ１５において、ＰＨＳ方式から３Ｇ方式に変更する際に、３Ｇ方式に変更するか否かをユーザに報知してもよい。
【００６１】
スマートフォン１は、例えば、通話機能に対応するアイコンに対する操作が行われると、ステップＳ１１に示すように、ディスプレイ２Ａに第１ユーザインタフェース４６を表示させる。
【００６２】
続いて、スマートフォン１は、ステップＳ１２に示すように、タッチスクリーン２Ｂにより、ディスプレイ２Ａ上を上から下へなぞるスワイプが検出されると、ステップＳ１３に示すように、ディスプレイ２Ａに表示されている画面を、第１ユーザインタフェース４６から通話設定インターフェース４５に切り替えて表示させる。
【００６３】
続いて、スマートフォン１は、ステップＳ１４に示すように、タッチスクリーン２Ｂにより、通話設定インターフェース４５上の“３Ｇ”と表記された箇所へのタッチが検出されると、ステップＳ１５に示すように、通話設定インターフェース４５上の“３Ｇ”と表記された箇所の色を変更する。そして、スマートフォン１は、通信方式をＰＨＳ方式から３Ｇ方式へと切り替える。スマートフォン１は、ストレージ９の設定データ９Ｚに記憶されている通信方式に関する情報を、ＰＨＳ方式から３Ｇ方式に更新する。なお、色の変更と、通信方式の変更と、情報の更新とは、この順序で実行するに限られず、異なる順序で実行されても、同時に実行される期間があってもよい。
【００６４】
続いて、スマートフォン１は、ステップＳ１６に示すように、タッチスクリーン２Ｂにより、ディスプレイ２Ａ上を下から上へなぞるスワイプが検出されると、ステップＳ１７に示すように、ディスプレイ２Ａに表示されている画面を、通話設定インターフェース４５から第２ユーザインタフェース４７に切り替えて表示させる。このとき、スマートフォン１は、３Ｇ発信の確認通知４７ｂも表示させる。スマートフォン１は、確認通知４７ｂ上の「ＯＫ」と表記されている箇所への操作が検出されると、３Ｇ発信が許可されたものと判定する。これとは反対に、スマートフォン１は、確認通知４７ｂ上の「ｃａｎｃｅｌ」と表記されている箇所への操作が検出されると、３Ｇ発信が許可されなかったものと判定する。
【００６５】
例えば、本実施形態で３Ｇ方式は、高速なデータ通信環境を提供できる通信方式として採用されている一方で、通話が可能な通信方式でもある。また、本実施形態でＰＨＳ方式は、通話音質を提供できる通信方式として採用されている一方で、データ通信が可能な通信方式でもある。そこで、３Ｇ方式及びＰＨＳ方式を併用可能な通信サービスの提供が考えられる。この通信サービスでは、３Ｇ方式を用いて通信を行うことで高速なデータ通信を実現し、ＰＨＳ方式を用いて通話を行うことで、各通信方式の技術的特徴を活かした通信環境を実現できる。上述してきたように、スマートフォン１は、第１通信ユニット６Ａ及び第２通信ユニット６Ｂを有し、第１通信ユニット６Ａ及び第２通信ユニット６Ｂなどを制御することにより、３Ｇ方式を用いた通信、及びＰＨＳ方式を用いた通信を併用可能な通信サービスに対応した処理を行うことができる。具体的には、スマートフォン１は、図９に示すように、通信方式がＰＨＳ方式から３Ｇ方式に切り替えられたときに、３Ｇ発信するか否かをユーザに報知する確認通知４７ｂを表示させる。このため、スマートフォン１は、発信時に、ユーザに通信方式を再認識させることができる。結果として、データ通信に適した通信方式として採用した通信形式が通話に割り当てられるのを低減し、ユーザに、優れた通信環境を提供することができる。
【００６６】
図１０を参照しながら、制御プログラム９Ａが提供する機能に基づく制御の処理手順の例について説明する。図１０は、スマートフォン１において、タッチスクリーン２Ｂに３Ｇ発信を開始するための操作が受け付けられたときに、３Ｇ発信を行うことを報知する処理が実行されるときの処理手順を示している。図１０に示す処理手順は、コントローラ１０が、制御プログラム９Ａを実行することによって実現される。以下では、通信方式としてＰＨＳ方式が予め設定されている場合の処理手順について説明する。
【００６７】
図１０に示すように、コントローラ１０は、例えば、通話機能に対応するアイコンに対する操作が行われると、ステップＳ１０１として、ＰＨＳ方式対応の第１ユーザインタフェース４６（図７参照）をディスプレイ２Ａに表示させる。
【００６８】
続いて、コントローラ１０は、ステップＳ１０２として、タッチスクリーン２Ｂにより、通信設定インターフェース４５（図６参照）を表示させるための操作が検出されたかどうかを判定する。実施形態１では、コントローラ１０は、タッチスクリーン２Ｂにより、ディスプレイ２Ａ上を上から下へなぞるスワイプを、通信設定インターフェース４５（図６参照）を表示させるための操作として検出する。
【００６９】
コントローラ１０は、判定の結果、通信設定インターフェース４５を表示させるための操作が検出された場合には（ステップＳ１０２，Ｙｅｓ）、ステップＳ１０３として、通信設定インターフェース４５をディスプレイ２Ａに表示させる。
【００７０】
続いて、コントローラ１０は、ステップＳ１０４として、通信方式の切替が行われたかどうかを判定する。実施形態１では、コントローラ１０は、例えば、通話設定インターフェース４５上で“３Ｇ”と表記された箇所へのタッチが検出された場合には、ＰＨＳ方式から３Ｇ方式への切替が行われたものと判定し、電話発信時に制御する通信ユニットを、通信ユニット６Ａから通信ユニット６Ｂに切り替える。
【００７１】
コントローラ１０は、判定の結果、通信方式の切替が行われた場合には（ステップＳ１０４，Ｙｅｓ）、ステップＳ１０５として、３Ｇ方式対応の第２ユーザインタフェース４７と、３Ｇ発信の確認通知４７ｂをディスプレイ２Ａに表示させる。例えば、コントローラ１０は、ディスプレイ２Ａ上を下から上へなぞるスワイプを、通信設定インターフェース４５を非表示にする操作として検出し、この検出を契機として、ディスプレイ２Ａに表示されている画面を、通話設定インターフェース４５から第２ユーザインタフェース４７に切り替えて表示させるとともに、確認通知４７ｂを表示させる。コントローラ１０は、通信設定インターフェース４５を非表示にする操作の検出を契機として、第２ユーザインタフェース４７及び確認通知４７ｂを表示させる例に限られるものではなく、通信方式の切替が行われたことを契機として、第２ユーザインタフェース４７及び確認通知４７ｂを表示させるようにしてもよい。
【００７２】
続いて、コントローラ１０は、ステップＳ１０６として、３Ｇ発信が許可されたかどうかを判定する。実施形態１では、コントローラ１０は、例えば、タッチスクリーン２Ｂにより、確認通知４７ｂ上でＯＫと表記されている箇所へのタッチが検出された場合には、３Ｇ発信が許可されたものと判定する。
【００７３】
コントローラ１０は、判定の結果、３Ｇ発信が許可された場合には（ステップＳ１０６，Ｙｅｓ）、ステップＳ１０７として、発信操作が行われたかどうかを判定する。例えば、コントローラ１０は、タッチスクリーン２Ｂにより、第２ユーザインタフェース４７に設けられた発信ボタンに対するタッチが検出された場合には、発信操作が行われたものと判定する。
【００７４】
コントローラ１０は、判定の結果、発信操作が行われた場合には（ステップＳ１０７，Ｙｅｓ）、ステップＳ１０８として、３Ｇ方式による電話発信を実行する。
【００７５】
ここで、ステップＳ１０７の説明に戻ると、コントローラ１０は、判定の結果、発信操作が行われなかった場合には（ステップＳ１０７，Ｎｏ）、そのまま図１０の処理手順を終了し、例えば、ディスプレイ２Ａにホーム画面４０を表示させる。例えば、発信操作が行われなかった場合には、３Ｇ発信が許可された後、ボタン３の操作が行われた場合、他のアプリケーションが起動された場合など、発信操作以外の操作が行われた場合が含まれる。
【００７６】
ここで、ステップＳ１０６の説明に戻ると、コントローラ１０は、判定の結果、３Ｇ発信が許可されなかった場合には（ステップＳ１０６，Ｎｏ）、そのまま図１０の処理手順を終了し、例えば、ディスプレイ２Ａにホーム画面４０を表示させる。
【００７７】
ここで、ステップＳ１０４の説明に戻ると、コントローラ１０は、判定の結果、通信方式の切替が行われなかった場合には（ステップＳ１０４，Ｎｏ）、上述したステップＳ１０７の処理手順に移行する。
【００７８】
ここで、ステップＳ１０２の説明に戻ると、コントローラ１０は、判定の結果、通信設定インターフェース４５を表示させるための操作が検出されなかった場合には（ステップＳ１０２，Ｎｏ）、上述したステップＳ１０７の処理手順に移行する。
【００７９】
つまり、ステップＳ１０４において通信方式の切替が行われなかった場合、及びステップＳ１０２において通信設定インターフェース４５を表示させるための操作が検出されなかった場合、スマートフォン１は、上述したステップＳ１０７の処理手順に移行する。そして、スマートフォン１は、通信方式はＰＨＳ方式のままであり、ディスプレイ２ＡにはＰＨＳ方式に対応する第１ユーザインタフェース４６が表示された状態にあるので、例えば、ＰＨＳ方式での電話発信操作が行われるのを待機することになる。
【００８０】
図１０に示す処理手順の例では、ステップＳ１０２として、通信設定インターフェース４５を表示させるための操作が検出されたかどうかを判定するステップを有するが、これには限定されない。例えば、ＰＨＳ方式対応のユーザインタフェースを表示させる前に、予め、通信方式の切替が行われていてもよい。この場合には、ステップＳ１０５〜ステップＳ１０８の処理手順を踏めばよい。
【００８１】
上述してきた実施形態１において、発信操作が行われた後に、再度、３Ｇ発信の確認通知４７ｂを表示させるようにしてもよい。以下、図１１を用いて、制御プログラム９Ａが提供する機能に基づく制御の例について説明する。
【００８２】
図１１は、発信操作が行われた後に、再度、３Ｇ発信の確認通知４７ｂを表示させる制御の例を示している。
【００８３】
スマートフォン１は、通信方式がＰＨＳ方式から３Ｇ方式に切り替えられた場合には、ステップＳ２１に示すように、３Ｇ方式に対応する第２ユーザインタフェース４７、及び３Ｇ発信の確認通知４７ｂをディスプレイ２Ａに表示させる。
【００８４】
続いて、スマートフォン１は、ステップＳ２２に示すように、タッチスクリーン２Ｂにより、確認通知４７ｂ上でＯＫと表記されている箇所へのタッチが検出された場合には、３Ｇ発信が許可されたものと判定する。そして、ステップＳ２３に示すように、スマートフォン１は、確認通知４７ｂをディスプレイ２Ａから消去する。
【００８５】
続いて、スマートフォン１は、ステップＳ２４に示すように、第２ユーザインタフェース４７上に設けられた発信ボタンに対するタッチが検出された場合には、ステップＳ２５に示すように、再度、３Ｇ発信の確認通知４７ｂをディスプレイ２Ａに表示させる。
【００８６】
図１１に示すように、スマートフォン１は、発信操作が行われた後に、再度、３Ｇ発信の確認通知４７ｂを表示させるので、発信時に通信方式をユーザに十二分に再認識させることができる。さらに、例えば、通信方式が最初から３Ｇ方式に設定されていた場合には、通信方式がＰＨＳ方式から３Ｇ方式に切り替えられる処理手順を踏まないので、図１１に示すように、ステップＳ２１の確認表示４７ｂがディスプレイ２Ａに表示されることがない。この場合には、発信時に、３Ｇ方式で発信を行うことをユーザに認識させることができない。これに対して、図１１では、通信方式がＰＨＳ方式から３Ｇ方式に切り替えられる処理手順を踏まない場合であっても、発信時に、３Ｇ方式で発信することをユーザに認識させることも可能となる。
【００８７】
図１２を参照しながら、図１１に対応する制御プログラム９Ａが提供する機能に基づく制御の処理手順の例について説明する。図１２は、発信操作が行われた後に、再度、３Ｇ発信の確認通知４７ｂを表示させる場合の処理手順を示している。図１２に示す処理手順は、コントローラ１０が、制御プログラム９Ａを実行することによって実現される。以下では、通信方式としてＰＨＳ方式が予め設定されている場合の処理手順について説明する。
【００８８】
図１２に示すように、コントローラ１０は、例えば、通話機能に対応するアイコンに対する操作が行われると、ステップＳ２０１として、ＰＨＳ方式対応の第１ユーザインタフェース４６（図７参照）をディスプレイ２Ａに表示させる。
【００８９】
続いて、コントローラ１０は、ステップＳ２０２として、タッチスクリーン２Ｂにより、通信設定インターフェース４５（図６参照）を表示させるための操作が検出されたかどうかを判定する。コントローラ１０は、判定の結果、通信設定インターフェース４５を表示させるための操作が検出された場合には（ステップＳ２０２，Ｙｅｓ）、ステップＳ２０３として、通信設定インターフェース４５をディスプレイ２Ａに表示させる。
【００９０】
続いて、コントローラ１０は、ステップＳ２０４として、通信方式の切替が行われたかどうかを判定する。
【００９１】
コントローラ１０は、判定の結果、通信方式の切替が行われた場合には（ステップＳ２０４，Ｙｅｓ）、ステップＳ２０５として、３Ｇ方式対応の第２ユーザインタフェース４７と、３Ｇ発信の確認通知４７ｂをディスプレイ２Ａに表示させる。続いて、コントローラ１０は、ステップＳ２０６として、３Ｇ発信が許可されたかどうかを判定する。
【００９２】
コントローラ１０は、３Ｇ発信が許可された場合には（ステップＳ２０６，Ｙｅｓ）、ステップＳ２０７として、発信操作が行われたかどうかを判定する。コントローラ１０は、判定の結果、発信操作が行われた場合には（ステップＳ２０７，Ｙｅｓ）、ステップＳ２０８として、再度、３Ｇ発信の確認通知４７ｂをディスプレイ２Ａに表示させる。
【００９３】
続いて、コントローラ１０は、ステップＳ２０９として、通信方式の切り替えを禁止する。続いて、コントローラ１０は、ステップＳ２１０として、３Ｇ発信が許可されたかどうかを判定する。コントローラ１０は、判定の結果、３Ｇ発信が許可された場合には（ステップＳ２１０，Ｙｅｓ）、ステップＳ２１１として、３Ｇ方式による電話発信を実行する。続いて、コントローラ１０は、ユーザの終話操作を検出すると、ステップＳ２１２として、通話を終了する。続いて、コントローラ１０は、ステップＳ２１３として、通信方式の切替が禁止されているかどうかを判定する。この場合、コントローラ１０は、通信方式の切替が禁止されているものと判定することになるので（ステップＳ２１３、Ｙｅｓ）、ステップＳ２１４として、通信方式の切替禁止を解除し、図１２の処理手順を終了して、例えば、ディスプレイ２Ａにホーム画面４０を表示させる。上述したステップＳ２１０において、判定の結果、３Ｇ発信が許可されなかった場合には（ステップＳ２１０，Ｎｏ）、コントローラ１０は、上述したステップＳ２１３に移り、通信方式の切替が禁止されているかどうかを判定する。この場合、コントローラ１０は、通信方式の切替が禁止されているものと判定することになるので（ステップＳ２１３、Ｙｅｓ）、通信方式の切替禁止を解除し（ステップＳ２１４）、図１２の処理手順を終了して、例えば、ディスプレイ２Ａにホーム画面４０を表示させる。
【００９４】
ここで、ステップＳ２０７の説明に戻ると、コントローラ１０は、判定の結果、発信操作が行われなかった場合には（ステップＳ２０７，Ｎｏ）、上述したステップＳ２１３に移り、通信方式の切替が禁止されているかどうかを判定する。この場合、コントローラ１０は、通信方式の切替が禁止されていないものと判定することになるので（ステップＳ２１３、Ｎｏ）、そのまま、図１２の処理手順を終了して、例えば、ディスプレイ２Ａにホーム画面４０を表示させる。
【００９５】
ここで、ステップＳ２０６の説明に戻ると、コントローラ１０は、判定の結果、３Ｇ発信が許可されなかった場合には（ステップＳ２０６，Ｎｏ）、上述したステップＳ２１３に移り、通信方式の切替が禁止されているかどうかを判定する。この場合、コントローラ１０は、通信方式の切替が禁止されていないものと判定することになるので（ステップＳ２１３、Ｎｏ）、そのまま、図１２の処理手順を終了して、例えば、ディスプレイ２Ａにホーム画面４０を表示させる。
【００９６】
ここで、ステップＳ２０４の説明に戻ると、コントローラ１０は、判定の結果、通信方式の切替が行われなかった場合には（ステップＳ２０４，Ｎｏ）、上述したステップＳ２０７の処理手順に移行する。
【００９７】
ここで、ステップＳ２０２の説明に戻ると、コントローラ１０は、判定の結果、通信設定インターフェース４５を表示させるための操作が検出されなかった場合には（ステップＳ２０２，Ｎｏ）、上述したステップＳ２０７の処理手順に移行する。
【００９８】
図１２に示す処理手順の例では、ステップＳ２０２として、通信設定インターフェース４５を表示させるための操作が検出されたかどうかを判定するステップを有するが、これには限定されない。例えば、ＰＨＳ方式対応のユーザインタフェースを表示させる前に、予め、通信方式の切替が行われていてもよい。この場合には、コントローラ１０は、ステップＳ２０５〜ステップＳ２１０の処理手順を実行することとなる。
【００９９】
上述してきた実施形態１において、スマートフォン１が、カーナビ、ＰＣなどのワイヤレス接続対応機器との間でワイヤレス接続を確立中である場合には、３Ｇ発信の確認通知４７ｂを表示させないようにしてもよい。以下、図１３を用いて、制御プログラム９Ａが提供する機能に基づく制御の処理手順の例について説明する。図１３は、スマートフォン１が、カーナビ、ＰＣなどのワイヤレス接続対応機器との間でワイヤレス接続を確立中である場合には、３Ｇ発信の確認通知４７ｂを表示させないようにする場合の処理手順を示している。図１３に示す処理手順は、コントローラ１０が、制御プログラム９Ａを実行することによって実現される。以下では、通信方式としてＰＨＳ方式が予め設定されている場合の処理手順について説明する。
【０１００】
図１３に示すように、コントローラ１０は、例えば、通話機能に対応するアイコンに対する操作が行われると、ステップＳ３０１として、ワイヤレス接続対応機器とのワイヤレス接続が確立中であるか否かを判定する。
【０１０１】
コントローラ１０は、判定の結果、ワイヤレス接続が確立中ではない場合には（ステップＳ３０１，Ｎｏ）、ステップＳ３０２として、ＰＨＳ方式対応の第１ユーザインタフェース４６（図７参照）をディスプレイ２Ａに表示させる。
【０１０２】
続いて、コントローラ１０は、ステップＳ３０３として、タッチスクリーン２Ｂにより、通信設定インターフェース４５（図６参照）を表示させるための操作が検出されたかどうかを判定する。コントローラ１０は、判定の結果、通信設定インターフェース４５を表示させるための操作が検出された場合には（ステップＳ３０３，Ｙｅｓ）、ステップＳ３０４として、通信設定インターフェース４５をディスプレイ２Ａに表示させる。
【０１０３】
続いて、コントローラ１０は、ステップＳ３０５として、通信方式の切替が行われたかどうかを判定する。
【０１０４】
コントローラ１０は、判定の結果、通信方式の切替が行われた場合には（ステップＳ３０５，Ｙｅｓ）、ステップＳ３０６として、３Ｇ方式対応の第２ユーザインタフェース４７と、３Ｇ発信の確認通知４７ｂをディスプレイ２Ａに表示させる。続いて、コントローラ１０は、ステップＳ３０７として、３Ｇ発信が許可されたかどうかを判定する。
【０１０５】
コントローラ１０は、３Ｇ発信が許可された場合には（ステップＳ３０７，Ｙｅｓ）、ステップＳ３０８として、発信操作が行われたかどうかを判定する。コントローラ１０は、判定の結果、発信操作が行われた場合には（ステップＳ３０８，Ｙｅｓ）、ステップＳ３０９として、３Ｇ方式による電話発信を実行する。
【０１０６】
ここで、ステップＳ３０８の説明に戻ると、コントローラ１０は、判定の結果、発信操作が行われなかった場合には（ステップＳ３０８，Ｎｏ）、そのまま図１２の処理手順を終了し、例えば、ディスプレイ２Ａにホーム画面４０を表示させる。
【０１０７】
ここで、ステップＳ３０７の説明に戻ると、コントローラ１０は、判定の結果、３Ｇ発信が許可されなかった場合には（ステップＳ３０７，Ｎｏ）、そのまま図１２の処理手順を終了し、例えば、ディスプレイ２Ａにホーム画面４０を表示させる。
【０１０８】
ここで、ステップＳ３０５の説明に戻ると、コントローラ１０は、判定の結果、通信方式の切替が行われなかった場合には（ステップＳ３０５，Ｎｏ）、上述したステップＳ３０８の処理手順に移行する。
【０１０９】
ここで、ステップＳ３０３の説明に戻ると、コントローラ１０は、判定の結果、通信設定インターフェース４５を表示させるための操作が検出されなかった場合には（ステップＳ３０３，Ｎｏ）、上述したステップＳ３０８の処理手順に移行する。
【０１１０】
ここで、ステップＳ３０１の説明に戻ると、コントローラ１０は、判定の結果、ワイヤレス接続が確立中である場合には（ステップＳ３０１，Ｙｅｓ）、上述したステップＳ３０８の処理手順に移行する。つまり、ワイヤレス接続の確立中は、スマートフォン１のディスプレイ２Ａを視覚的に確認できる状態ではない場合が考えられる。実施形態１では、３Ｇ発信の確認通知４７ｂを表示させることで、発信時に通信方式をユーザに再認識させることを目的とするものであるが、ディスプレイ２Ａを視覚的に確認できない状態では、確認通知４７ｂが意味を成さないこともあり得る。そこで、図１３では、ワイヤレス接続が確立中である場合には、３Ｇ発信の確認通知４７ｂを表示させる処理を行わないように制御する。
【０１１１】
図１３に示す処理手順の例では、ステップＳ３０３として、通信設定インターフェース４５を表示させるための操作が検出されたかどうかを判定するステップを有するが、これには限定されない。例えば、ＰＨＳ方式対応のユーザインタフェースを表示させる前に、予め、通信方式の切替が行われていてもよい。この場合には、ステップＳ３０１→ステップＳ３０６〜ステップＳ３０９の処理手順を踏めばよい。
【０１１２】
上述してきたように、実施形態１では、スマートフォン１は、通信方式がＰＨＳ方式から３Ｇ方式に切り替えられたときに、３Ｇ発信するか否かをユーザに報知する確認通知４７ｂを表示させる（図９など参照）。このため、スマートフォン１は、発信時に、ユーザに通信方式を再認識させることができる。
【０１１３】
上述してきた実施形態１では、３Ｇ発信の確認通知４７ｂ上に、３Ｇ発信を許可する場合に操作する「ＯＫ」と表記する箇所と、３Ｇ発信を許可しない場合に操作する「ｃａｎｃｅｌ」と表記する箇所とが設けられる例を説明した。しかしながら、これには限定されない。図１４は、確認通知の他の例を示す図である。図１４に示すように、３Ｇ発信を許可しない場合に操作する「ｃａｎｃｅｌ」と表記する箇所の代わりに、例えば、ＰＨＳ方式で発信を行うために操作する「ＰＨＳ」と表記する箇所を設けてもよい。
【０１１４】
上述してきた実施形態１では、ＰＨＳ方式による通話に関する操作を受け付けるための第１ユーザインタフェース４６の例（図７参照）と、３Ｇ方式による通話に関する操作を受け付けるための第２ユーザインタフェース４７の例（図８参照）とを説明した。ユーザインタフェースの例は、これには限定されない。図１５は、ユーザインタフェースの他の例を示す図である。図１５に示すように、例えば、ユーザインタフェース４８に、ＰＨＳ発信を行うための発信ボタン４８ａと、３Ｇ発信を行うための発信ボタン４８ｂが設けられていてもよい。
【０１１５】
（実施形態２）
以下の実施形態２では、スマートフォン１の発信中、通話中、通話終了時に、利用した通信方式を報知する機能を持たせる場合について説明する。
【０１１６】
制御プログラム９Ａが提供する機能には、スマートフォン１の発信中、通話中、通話終了時に、ディスプレイ２Ａに、通信方式に対応する発信中画面、通話中画面、通話終了画面を表示させる機能が含まれる。
【０１１７】
コントローラ１０は、例えば、制御プログラム９Ａを実行することにより、スマートフォン１の発信中、通話中、通話終了時に、ディスプレイ２Ａに、通信方式に対応する発信中画面、通話中画面、通話終了画面を表示させる処理を実行する。
【０１１８】
図１６に、ディスプレイ２Ａに表示される発信中画面の一例を示す。図１６では、通信方式として３Ｇ方式が利用されている場合の発信中画面の例を示している。図１６に示すように、発信中画面６０ａは、発信中であることに加えて、利用されている通信方式が３Ｇ方式であることを表示する。
【０１１９】
図１７に、ディスプレイ２Ａに表示される通話中画面の一例を示す。図１７では、通信方式として３Ｇ方式が利用されている場合の通話中画面の例を示している。図１７に示すように、通話中画面６０ｂは、通話中であることに加えて、利用されている通信方式が３Ｇ方式であることを表示する。
【０１２０】
図１８に、ディスプレイ２Ａに表示される通話終了画面の一例を示す。図１８では、通信方式として３Ｇ方式が利用されている場合の通話終了画面の例を示している。図１８に示すように、通話終了画面６０ｃは、通話が終了したことに加えて、利用されている通信方式が３Ｇ方式であることを表示する。通話終了画面６０ｃは、図１８に示すように、通話時間をさらに表示してもよい。
【０１２１】
図１９に、ディスプレイ２Ａに表示される発信中画面の一例を示す。図１９では、通信方式としてＰＨＳ方式が利用されている場合の発信中画面の例を示している。図１９に示すように、発信中画面６１ａは、発信中であることに加えて、利用されている通信方式がＰＨＳ方式であることを表示する。
【０１２２】
図２０に、ディスプレイ２Ａに表示される通話中画面の一例を示す。図２０では、通信方式としてＰＨＳ方式が利用されている場合の通話中画面の例を示している。図２０に示すように、通話中画面６１ｂは、通話中であることに加えて、利用されている通信方式がＰＨＳ方式であることを表示する。
【０１２３】
図２１に、ディスプレイ２Ａに表示される通話終了画面の一例を示す。図２１では、通信方式としてＰＨＳ方式が利用されている場合の通話終了画面の例を示している。図２１に示すように、通話終了画面６１ｃは、通話が終了したことに加えて、利用されている通信方式がＰＨＳ方式であることを表示する。通話終了画面６１ｃは、図２１に示すように、通話時間をさらに表示してもよい。
【０１２４】
図２２を参照しながら、制御プログラム９Ａが提供する機能に基づく制御の処理手順の例について説明する。図２２は、スマートフォン１の発信中、通話中、通話終了時に、ディスプレイ２Ａに、通信方式に対応する発信中画面、通話中画面、通話終了画面を表示させる処理が実行されるときの処理手順を示している。図２２に示す処理手順は、コントローラ１０が、制御プログラム９Ａを実行することによって実現される。図２２に示す処理手順は、発信開始を契機として実行される。
【０１２５】
図２２に示すように、コントローラ１０は、ストレージ９に記憶された設定データを参照し、設定データに含まれる通信方式に対応した通信ユニット６Ａ又は６Ｂを制御して発信を行った後、ステップＳ４０１として、通信方式に対応する発信中画面（例えば、図１６及び図１９参照）をディスプレイ２Ａに表示させる。
【０１２６】
続いて、コントローラ１０は、ステップＳ４０２として、通話が開始されたかどうか、すなわち発信先の通話装置が着信に応答することで通話のための通信路が確立されたかどうかを判定する。
【０１２７】
コントローラ１０は、判定の結果、通話が開始されない場合には（ステップＳ４０２，Ｎｏ）、発信中画面の表示を継続する。一方、コントローラ１０は、判定の結果、通話が開始された場合には（ステップＳ４０２，Ｙｅｓ）、ステップＳ４０３として、ディスプレイ２Ａに表示されている発信中画面を、通信方式に対応した通話中画面（例えば、図１７及び図２０参照）に切り替えて表示させる。
【０１２８】
続いて、コントローラ１０は、ステップＳ４０４として、通話が終了されたかどうか、すなわち通話のための通信路が切断されたかどうかを判定する。
【０１２９】
コントローラ１０は、判定の結果、通話が終了されない場合には（ステップＳ４０４，Ｎｏ）、通話中画面の表示を継続する。一方、コントローラ１０は、判定の結果、通話が終了された場合には（ステップＳ４０４，Ｙｅｓ）、ステップＳ４０５として、ディスプレイ２Ａに表示されている通話中画面を、通信方式に対応した通話終了画面（例えば、図１８及び図２１参照）に切り替えて表示させ、図２２の処理手順を終了する。
【０１３０】
上述してきたように、実施形態２によれば、スマートフォン１の発信中、通話中、通話終了時に、ディスプレイ２Ａに、通信方式に対応する発信中画面、通話中画面、通話終了画面を表示させるので、通信方式をユーザに認識させる機会を多くできる。
【０１３１】
上述してきた実施形態２では、スマートフォン１の発信中、通話中、通話終了時に、ディスプレイ２Ａに、通信方式に対応する発信中画面、通話中画面、通話終了画面を表示させる例を説明したが、これには限定されない。図２３及び図２４に、通信方式の報知する他の例を示す。
【０１３２】
図２３に示すように、現在の通信方式が３Ｇ方式である場合には、ホーム画面４０が表示されているディスプレイ２Ａの上端にある領域４２に、通信方式が３Ｇ方式であることを示す画像４９ａを表示させるようにしてもよい。同様に、図２４に示すように、現在の通信方式がＰＨＳ方式である場合には、ホーム画面４０が表示されているディスプレイ２Ａの上端にある領域４２に、通信方式がＰＨＳ方式であることを示す画像４９ｂを表示させるようにしてもよい。図２３及び図２４では、ディスプレイ２Ａにホーム画面４０が表示されている例を示しているが、ディスプレイ２Ａに表示させる画面には特に限定されることなく、領域４２に通信方式に対応する画像４９ａ又は４９ｂを表示させてよい。
【０１３３】
上述してきた実施形態２では、通信方式に対応する発信中画面を表示させる例を説明したが、これには限定されない。例えば、ＰＨＳ方式か３Ｇ方式であるかに応じて、発信時の音声パスのトーンを変えるようにしてもよい。あるいは、発信時に、通信方式を告げるアナウンスを流すようにしてもよい。
【０１３４】
上述してきた実施形態２において、通信方式に応じて、スマートフォン１に設けられたＬＥＤなどの点灯色（例えば、ＰＨＳは青、３Ｇは赤など）を変えたり、点滅パターンを変えたりしてもよい。
【０１３５】
上述した実施形態２において、通信方式に応じて、発信時に、スマートフォン１に設けられたバイブレータの振動方法（ＰＨＳは１回振動、３Ｇは２回振動など）を変えてもよい。
【０１３６】
上述した実施形態２において、通信方式に応じて、ディスプレイ２Ａに表示される背景画面の色（ＰＨＳは青、３Ｇは赤など）を変えてもよい。
【０１３７】
（実施形態３）
以下の実施形態３では、ＰＨＳ方式に対応する第１ユーザインタフェース４６がディスプレイ２Ａに表示されているときに、ＰＨＳ方式から３Ｇ方式へ通信方式が切り替えられた場合、第１ユーザインタフェース４６に入力済みのデータを、３Ｇ方式に対応する第２ユーザインタフェース４７に入力されたものとして表示させる場合について説明する。
【０１３８】
制御プログラム９Ａが提供する機能には、ＰＨＳ方式による通話に関する操作を受け付けるための第１ユーザインタフェース４６がディスプレイ２Ａに表示されているときに、ＰＨＳ方式から３Ｇ方式へ通信方式が切り替えられた場合、第１ユーザインタフェース４６に入力済みの発信先電話番号を、３Ｇ方式による通話に関する操作を受け付けるための第２ユーザインタフェース４７に入力されたものとして、第２ユーザインタフェース４７上に表示させるための機能が含まれる。
【０１３９】
コントローラ１０は、例えば、制御プログラム９Ａを実行することにより、ＰＨＳ方式による通話に関する操作を受け付けるための第１ユーザインタフェース４６がディスプレイ２Ａに表示されているときに、ＰＨＳ方式から３Ｇ方式へ通信方式が切り替えられた場合、第１ユーザインタフェース４６に入力済みの発信先電話番号を、３Ｇ方式による通話に関する操作を受け付けるための第２ユーザインタフェース４７に入力されたものとして、第２ユーザインタフェース４７上に表示させるための処理を実行する。コントローラ１０は、例えば、ディスプレイ２Ａに表示されている第１ユーザインタフェース４６に発信先の電話番号の入力がされた後に、通信方式がＰＨＳ方式から３Ｇ方式に通信方式の切替が行われた場合には、第１ユーザインタフェース４６に入力された発信先電話番号のデータをストレージ９から読み込み、読み込んだ発信先電話番号のデータを第２ユーザインタフェース４７に書き込むことで、第２ユーザインタフェース４７上に表示させる。
【０１４０】
図２５を参照しながら、制御プログラム９Ａが提供する機能に基づく制御の例について説明する。図２５は、ディスプレイ２Ａに表示されている第１ユーザインタフェース４６に発信先の電話番号が入力された後に、ＰＨＳ方式から３Ｇ方式に通信方式の切替が行われた場合には、第１ユーザインタフェース４６に入力済みの発信先電話番号を、第２ユーザインタフェース４７に入力されたものとして、第２ユーザインタフェース４７上に表示させるための制御の例を示している。
【０１４１】
図２５に示すステップＳ３１は、ディスプレイ２Ａに、第１ユーザインタフェース４６に、電話番号が入力された状態を示している。図２５に示すステップＳ３２は、ディスプレイ２Ａの上から下へ、ユーザの指Ｆ１によるスワイプが開始されようとしている状態を示している。図２５に示すステップＳ３３は、ディスプレイ２Ａに通話設定インターフェース４５が表示された、スワイプ直後のディスプレイ２Ａの状態を示している。図２５に示すステップＳ３４は、ユーザの指Ｆ１が、通話設定インターフェース４５上の“３Ｇ”と表記された箇所にタッチした状態を示している。図２５に示すステップＳ３５は、通話設定インターフェース４５上の“３Ｇ”と表記された箇所の色が変更された、タッチ直後のディスプレイ２Ａの状態を示している。図２５に示すステップＳ３６は、ディスプレイ２Ａの下から上へ、ユーザの指Ｆ１によるスワイプが開始されようとしている状態を示している。図２５に示すステップＳ３７は、第２ユーザインタフェース４７がディスプレイ２Ａに表示されるとともに、３Ｇ発信するか否かをユーザに報知する確認通知４７ｂが表示された、スワイプ直後のディスプレイ２Ａの状態を示している。
【０１４２】
スマートフォン１は、例えば、通話機能に対応するアイコンに対する操作が行われると、ステップＳ３１に示すように、ディスプレイ２Ａに第１ユーザインタフェース４６を表示させる。そして、スマートフォン１は、タッチスクリーン２Ｂにより、第１ユーザインタフェース４６に対して発信先電話番号の入力操作が検出されると、検出された数字を第１ユーザインタフェース４６上に表示させる。スマートフォン１は、第１ユーザインタフェース４６に対して入力された発信先電話番号のデータをストレージ９に記憶させる。
【０１４３】
続いて、スマートフォン１は、ステップＳ３２に示すように、タッチスクリーン２Ｂにより、ディスプレイ２Ａ上を上から下へなぞるスワイプが検出されると、ステップＳ３３に示すように、ディスプレイ２Ａに表示されている画面を、第１ユーザインタフェース４６から通話設定インターフェース４５に切り替えて表示させる。
【０１４４】
続いて、スマートフォン１は、ステップＳ３４に示すように、タッチスクリーン２Ｂにより、通話設定インターフェース４５上の“３Ｇ”と表記された箇所へのタッチが検出されると、ステップＳ３５に示すように、通話設定インターフェース４５上の“３Ｇ”と表記された箇所の色を変更する。そして、スマートフォン１は、通信方式をＰＨＳ方式から３Ｇ方式へと切り替える。スマートフォン１は、ストレージ９の設定データ９Ｚに記憶されている通信方式に関する情報を、ＰＨＳ方式から３Ｇ方式に更新する。
【０１４５】
続いて、スマートフォン１は、ステップＳ３６に示すように、タッチスクリーン２Ｂにより、ディスプレイ２Ａ上を下から上へなぞるスワイプが検出されると、ステップＳ３７に示すように、ディスプレイ２Ａに表示されている画面を、通話設定インターフェース４５から第２ユーザインタフェース４７に切り替えて表示させる。このとき、スマートフォン１は、３Ｇ発信の確認通知４７ｂも表示させる。第２ユーザインタフェース４７を表示させる場合、スマートフォン１は、ストレージ９から、第１ユーザインタフェース４６に対して入力された発信先電話番号のデータを読み込み、読み込んだ発信先電話番号のデータを第２ユーザインタフェース４７に書き込むことにより、第２ユーザインタフェース４７上に表示させる。スマートフォン１は、確認通知４７ｂ上の「ＯＫ」と表記されている箇所への操作が検出されると、３Ｇ発信が許可されたものと判定し、入力済みの数字からなる電話番号を発信先として３Ｇ発信する。これとは反対に、スマートフォン１は、確認通知４７ｂ上の「ｃａｎｃｅｌ」と表記されている箇所への操作が検出されると、３Ｇ発信が許可されなかったものと判定する。
【０１４６】
図２５に示すように、スマートフォン１は、ディスプレイ２Ａに表示されている第１ユーザインタフェース４６に発信先の電話番号が入力された後に、ＰＨＳ方式から３Ｇ方式に通信方式の切替が行われた場合には、第１ユーザインタフェース４６に入力済みの発信先電話番号を、第２ユーザインタフェース４７に入力されたものとして、第２ユーザインタフェース４７上に表示させる。このため、スマートフォン１は、発信先の電話番号をユーザに再度入力させる必要がなく、快適な操作性をユーザに提供できる。
【０１４７】
図２５に示す場合では、発信先電話番号に含まれる数字の全て入力される例を説明したが、これには限定されない。例えば、スマートフォン１は、入力済みの数字が発信先の電話番号の全てではなくても、入力済みの数字を、第１ユーザインタフェース４６と第２ユーザインタフェース４７との間でやり取りさせるようにしてもよい。これにより、ユーザが、電話番号の入力の途中で通信方式の切り替えを行った場合であっても、発信先の電話番号を途中から入力すればよく、最初から入力する必要がなくなる。
【０１４８】
図２６〜図２８を参照しながら、制御プログラム９Ａが提供する機能に基づく制御の処理手順の例について説明する。図２６〜図２８に示す処理手順は、コントローラ１０が、制御プログラム９Ａを実行することによって実現される。以下では、通信方式としてＰＨＳ方式が予め設定されている場合の処理手順について説明する。
【０１４９】
図２６に示す処理手順は、上述した図１０に示す処理手順と、実施形態３に対応する処理手順を含む。図２６に示すように、コントローラ１０は、例えば、通話機能に対応するアイコンに対する操作が行われると、ステップＳ５０１として、ＰＨＳ方式対応の第１ユーザインタフェース４６（図７参照）をディスプレイ２Ａに表示させる。
【０１５０】
続いて、コントローラ１０は、ステップＳ５０２として、タッチスクリーン２Ｂにより、通信設定インターフェース４５（図６参照）を表示させるための操作が検出されたかどうかを判定する。コントローラ１０は、判定の結果、通信設定インターフェース４５を表示させるための操作が検出された場合には（ステップＳ５０２，Ｙｅｓ）、ステップＳ５０３として、通信設定インターフェース４５をディスプレイ２Ａに表示させる。
【０１５１】
続いて、コントローラ１０は、ステップＳ５０４として、通信方式の切替が行われたかどうかを判定する。コントローラ１０は、判定の結果、通信方式の切替が行われた場合には（ステップＳ５０４，Ｙｅｓ）、ステップＳ５０５として、入力済みの電話番号があるかどうかを判定する。例えば、コントローラ１０は、ＰＨＳ方式対応の第１ユーザインタフェース４６に入力された電話番号のデータが、ストレージ９に記憶されているかどうかを判定する。
【０１５２】
コントローラ１０は、判定の結果、入力済みの電話番号がある場合には（ステップＳ５０５，Ｙｅｓ）、ステップＳ５０６として、ストレージ９から電話番号のデータを読み込み、読み込んだ電話番号を含む３Ｇ方式対応の第２ユーザインタフェース４７に書き込む。続いて、コントローラ１０は、ステップＳ５０７として、電話番号を含む３Ｇ方式対応の第２ユーザインタフェース４７と、３Ｇ発信の確認通知４７ｂをディスプレイ２Ａに表示させる。
【０１５３】
一方、コントローラ１０は、判定の結果、入力済みの電話番号がない場合には（ステップＳ５０５，Ｎｏ）、ステップＳ５０８として、３Ｇ方式対応の第２ユーザインタフェース４７と、３Ｇ発信の確認通知４７ｂをディスプレイ２Ａに表示させる。例えば、コントローラ１０は、ディスプレイ２Ａ上を下から上へなぞるスワイプを、通信設定インターフェース４５を非表示にする操作として検出し、この検出を契機として、ディスプレイ２Ａに表示されている画面を、通話設定インターフェース４５から第２ユーザインタフェース４７に切り替えて表示させるとともに、確認通知４７ｂを表示させる。コントローラ１０は、通信設定インターフェース４５を非表示にする操作の検出を契機として、第２ユーザインタフェース４７及び確認通知４７ｂを表示させる例に限られるものではなく、通信方式の切替が行われたことを契機として、第２ユーザインタフェース４７及び確認通知４７ｂを表示させるようにしてもよい。
【０１５４】
続いて、コントローラ１０は、ステップＳ５０９として、３Ｇ発信が許可されたかどうかを判定する。コントローラ１０は、判定の結果、３Ｇ発信が許可された場合には（ステップＳ５０９，Ｙｅｓ）、ステップＳ５１０として、発信操作が行われたかどうかを判定する。コントローラ１０は、判定の結果、発信操作が行われた場合には（ステップＳＳ５１０，Ｙｅｓ）、ステップＳ５１１として、３Ｇ方式による電話発信を実行する。
【０１５５】
ここで、ステップＳ５１１の説明に戻ると、コントローラ１０は、判定の結果、発信操作が行われなかった場合には（ステップＳ５１０，Ｎｏ）、図２６の処理手順を終了し、例えば、ディスプレイ２Ａにホーム画面４０を表示させる。例えば、発信操作が行われなかった場合には、３Ｇ発信が許可された後、ボタン３の操作が行われた場合、他のアプリケーションが起動された場合など、発信操作以外の操作が行われた場合が含まれる。
【０１５６】
ここで、ステップＳＳ５０９１の説明に戻ると、コントローラ１０は、判定の結果、３Ｇ発信が許可されなかった場合には（ステップＳ５０９，Ｎｏ）、図２６の処理手順を終了し、例えば、ディスプレイ２Ａにホーム画面４０を表示させる。
【０１５７】
ここで、ステップＳ５０４の説明に戻ると、コントローラ１０は、判定の結果、通信方式の切替が行われなかった場合には（ステップＳ５０４，Ｎｏ）、上述したステップＳ５１０の処理手順に移行する。
【０１５８】
ここで、ステップＳ５０２の説明に戻ると、コントローラ１０は、判定の結果、通信設定インターフェース４５を表示させるための操作が検出されなかった場合には（ステップＳ５０２，Ｎｏ）、上述したステップＳ５１０の処理手順に移行する。
【０１５９】
つまり、ステップＳ５０４において通信方式の切替が行われなかった場合、及びステップＳ５０２おいて通信設定インターフェース４５を表示させるための操作が検出されなかった場合、スマートフォン１は、上述したステップＳ５１０の処理手順に移行する。そして、スマートフォン１は、ディスプレイ２ＡにはＰＨＳ方式に対応する第１ユーザインタフェース４６が表示された状態にあるので、例えば、ＰＨＳ方式での発信操作が行われるのを待機することになる。
【０１６０】
図２７に示す処理手順は、上述した図１２に示す処理手順と、実施形態３に対応する処理手順を含む。図２７に示すように、コントローラ１０は、例えば、通話機能に対応するアイコンに対する操作が行われると、ステップＳ６０１として、ＰＨＳ方式対応の第１ユーザインタフェース４６（図７参照）をディスプレイ２Ａに表示させる。
【０１６１】
続いて、コントローラ１０は、ステップＳ６０２として、タッチスクリーン２Ｂにより、通信設定インターフェース４５（図６参照）を表示させるための操作が検出されたかどうかを判定する。コントローラ１０は、判定の結果、通信設定インターフェース４５を表示させるための操作が検出された場合には（ステップＳ６０２，Ｙｅｓ）、ステップＳ６０３として、通信設定インターフェース４５をディスプレイ２Ａに表示させる。
【０１６２】
続いて、コントローラ１０は、ステップＳ６０４として、通信方式の切替が行われたかどうかを判定する。コントローラ１０は、判定の結果、通信方式の切替が行われた場合には（ステップＳ６０４，Ｙｅｓ）、ステップＳ６０５として、入力済みの電話番号があるかどうかを判定する。例えば、コントローラ１０は、ＰＨＳ方式対応の第１ユーザインタフェース４６に入力された電話番号のデータが、ストレージ９に記憶されているかどうかを判定する。
【０１６３】
コントローラ１０は、判定の結果、入力済みの電話番号がある場合には（ステップＳ６０５，Ｙｅｓ）、ステップＳ６０６として、ストレージ９から電話番号のデータを読み込み、読み込んだ電話番号を含む３Ｇ方式対応の第２ユーザインタフェース４７に書き込む。続いて、コントローラ１０は、ステップＳ６０７として、電話番号を含む３Ｇ方式対応の第２ユーザインタフェース４７と、３Ｇ発信の確認通知４７ｂをディスプレイ２Ａに表示させる。
【０１６４】
一方、コントローラ１０は、判定の結果、入力済みの電話番号がない場合には（ステップＳ６０５，Ｎｏ）、ステップＳ６０８として、３Ｇ方式対応の第２ユーザインタフェース４７と、３Ｇ発信の確認通知４７ｂをディスプレイ２Ａに表示させる。例えば、コントローラ１０は、ディスプレイ２Ａ上を下から上へなぞるスワイプを、通信設定インターフェース４５を非表示にする操作として検出し、この検出を契機として、ディスプレイ２Ａに表示されている画面を、通話設定インターフェース４５から第２ユーザインタフェース４７に切り替えて表示させるとともに、確認通知４７ｂを表示させる。コントローラ１０は、通信設定インターフェース４５を非表示にする操作の検出を契機として、第２ユーザインタフェース４７及び確認通知４７ｂを表示させる例に限られるものではなく、通信方式の切替が行われたことを契機として、第２ユーザインタフェース４７及び確認通知４７ｂを表示させるようにしてもよい。
【０１６５】
続いて、コントローラ１０は、ステップＳ６０９として、３Ｇ発信が許可されたかどうかを判定する。コントローラ１０は、判定の結果、３Ｇ発信が許可された場合には（ステップＳ６０９，Ｙｅｓ）、ステップＳ６１０として、発信操作が行われたかどうかを判定する。コントローラ１０は、判定の結果、発信操作が行われた場合には（ステップＳ６１０，Ｙｅｓ）、ステップＳ６１１として、再度、３Ｇ発信の確認通知４７ｂをディスプレイ２Ａに表示させる。
【０１６６】
続いて、コントローラ１０は、ステップＳ６１２として、通信方式の切り替えを禁止する。続いて、コントローラ１０は、ステップＳ６１３として、３Ｇ発信が許可されたかどうかを判定する。コントローラ１０は、判定の結果、３Ｇ発信が許可された場合には（ステップＳ６１３，Ｙｅｓ）、ステップＳ６１４として、３Ｇ方式による電話発信を実行する。続いて、コントローラ１０は、ユーザの終話操作を検出すると、ステップＳ６１５として、通話を終了する。続いて、コントローラ１０は、ステップＳ６１６として、通信方式の切替が禁止されているかどうかを判定する。この場合、コントローラ１０は、通信方式の切替が禁止されているものと判定することになるので（ステップＳ６１６、Ｙｅｓ）、ステップＳ６１７として、通信方式の切替禁止を解除し、図２７の処理手順を終了して、例えば、ディスプレイ２Ａにホーム画面４０を表示させる。上述したステップＳ６１３において、判定の結果、３Ｇ発信が許可されなかった場合には（ステップＳ６１３，Ｎｏ）、コントローラ１０は、上述したステップＳ６１６に移り、通信方式の切替が禁止されているかどうかを判定する。この場合、コントローラ１０は、通信方式の切替が禁止されているものと判定することになるので（ステップＳ６１６、Ｙｅｓ）、通信方式の切替禁止を解除し（ステップＳ６１７）、図２７の処理手順を終了して、例えば、ディスプレイ２Ａにホーム画面４０を表示させる。
【０１６７】
ここで、ステップＳ６１０の説明に戻ると、コントローラ１０は、判定の結果、発信操作が行われなかった場合には（ステップＳ６１０，Ｎｏ）、上述したステップＳ６１６に移り、通信方式の切替が禁止されているかどうかを判定する。この場合、コントローラ１０は、通信方式の切替が禁止されていないものと判定することになるので（ステップＳ６１６、Ｎｏ）、そのまま、図２７の処理手順を終了して、例えば、ディスプレイ２Ａにホーム画面４０を表示させる。
【０１６８】
ここで、ステップＳ６０９の説明に戻ると、コントローラ１０は、判定の結果、３Ｇ発信が許可されなかった場合には（ステップＳ６０９，Ｎｏ）、上述したステップＳ６１６に移り、通信方式の切替が禁止されているかどうかを判定する。この場合、コントローラ１０は、通信方式の切替が禁止されていないものと判定することになるので（ステップＳ６１６、Ｎｏ）、そのまま、図２７の処理手順を終了して、例えば、ディスプレイ２Ａにホーム画面４０を表示させる。
【０１６９】
ここで、ステップＳ６０４の説明に戻ると、コントローラ１０は、判定の結果、通信方式の切替が行われなかった場合には（ステップＳ６０４，Ｎｏ）、上述したステップＳ６１０の処理手順に移行する。
【０１７０】
ここで、ステップＳ６０２の説明に戻ると、コントローラ１０は、判定の結果、通信設定インターフェース４５を表示させるための操作が検出されなかった場合には（ステップＳ６０２，Ｎｏ）、上述したステップＳ６１０の処理手順に移行する。
【０１７１】
つまり、ステップＳ６０４において通信方式の切替が行われなかった場合、及びステップＳ６０２において通信設定インターフェース４５を表示させるための操作が検出されなかった場合、スマートフォン１は、上述したステップＳ６１０の処理手順に移行する。そして、スマートフォン１は、ディスプレイ２ＡにはＰＨＳ方式に対応する第１ユーザインタフェース４６が表示された状態にあるので、例えば、ＰＨＳ方式での発信操作が行われるのを待機することになる。
【０１７２】
図２８に示す処理手順は、上述した図１３に示す処理手順と、実施形態３に対応する処理手順を含む。図２８に示すように、コントローラ１０は、例えば、通話機能に対応するアイコンに対する操作が行われると、ステップＳ７０１として、ワイヤレス対応接続対応機器とのワイヤレス接続が確立中であるか否かを判定する。
【０１７３】
コントローラ１０は、判定の結果、ワイヤレス接続が確立中ではない場合には（ステップＳ７０１，Ｎｏ）、ステップＳ７０２として、ＰＨＳ方式対応の第１ユーザインタフェース４６（図７参照）をディスプレイ２Ａに表示させる。以下、ステップＳ７０３〜ステップＳ７１２までの処理手順は、図２６のステップＳ５０２〜ステップＳ５１１までの処理手順にそれぞれ対応するので、説明は省略する。
【０１７４】
ステップＳ７０１において、コントローラ１０は、判定の結果、ワイヤレス接続が確立中である場合には（ステップＳ７０１，Ｙｅｓ）、ステップＳ７１１の処理手順に移る。
【０１７５】
図２８に示す処理手順では、ワイヤレス接続が確立中ではない場合であって、かつ通信方式の切り替えが行われた場合に、切替前の通信方式に対応するユーザインタフェースに入力済みである発信先電話番号を、切替後の通信方式に対応するユーザインタフェースに引き継がせる例を説明した。これは、ワイヤレス接続の確立中は、スマートフォン１のディスプレイ２Ａを視覚的に確認できる状態ではない場合が多い点に対応するものである。つまり、切替後の通信方式に対応するユーザインタフェースには発信先電話番号の全てが入力されておらず、続きの電話番号を入力する必要がある場合、ディスプレイ２Ａを視覚的に確認できない状態では、続きの電話番号を入力することが困難であることが予想されるからである。
【０１７６】
（実施形態４）
以下の実施形態４では、ＰＨＳ方式を利用した通話時間、及び３Ｇ方式を利用した通話時間を管理する機能を持たせる場合について説明する。
【０１７７】
制御プログラム９Ａが提供する機能には、通話時間を通信方式に対応付けて更新するとともに、通話時間の合算時間を算出して更新する機能が含まれる。
【０１７８】
コントローラ１０は、例えば、制御プログラム９Ａを実行することにより、通話時間を通信方式に対応付けて更新するとともに、通話時間の合算時間を算出して更新する処理を実行する。
【０１７９】
図２９に、通話時間の管理例を示す。図２９に示すように、ストレージ９は、通信方式に対応付けて通話実績時間を記憶するとともに、通話時間の合算時間を記憶する。
【０１８０】
図３０を参照しながら、制御プログラム９Ａが提供する機能に基づく制御の処理手順の例について説明する。図３０は、スマートフォン１を用いて実行された通話の通話時間を管理するための処理手順を示している。図３０に示す処理手順は、コントローラ１０が、制御プログラム９Ａを実行することによって実現される。図３０に示す処理手順は、スマートフォン１を用いて通話が行われるたびに実行される。
【０１８１】
図３０に示すように、コントローラ１０は、通話が終了すると、ステップＳ８０１として、通話時間を取得する。コントローラ１０は、例えば、通話が開始されると、内部的なタイマーを起動させ、タイマーで計測された通話終了までの時間を取得する。
【０１８２】
続いて、コントローラ１０は、ステップＳ８０２として、通話に用いた通信ユニット６Ａ又は６Ｂに対応する通信方式の通話実績時間を更新する。コントローラ１０は、例えば、ＰＨＳ方式で通話が行われた場合には、ストレージ９に記憶されているＰＨＳ方式対応の通話実績時間に対して、ステップＳ８０１で取得した通話時間を加算することにより、通話実績時間を更新する。
【０１８３】
続いて、コントローラ１０は、ステップＳ８０３として、合算時間を更新する。コントローラ１０は、例えば、ストレージ９に記憶されている合算時間に対して、ステップＳ８０１で取得した通話時間を加算することにより、合算時間を更新する。
【０１８４】
上述してきたように、スマートフォン１は、ＰＨＳ方式を利用した通話時間、及び３Ｇ方式を利用した通話時間を管理するので、通信方式ごとの通話の状況をユーザに提供できる。
【０１８５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【０１８６】
例えば、図５に示した各プログラムは、複数のモジュールに分割されていてもよい。あるいは、図５に示した各プログラムは、他のプログラムと結合されていてもよい。
【０１８７】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【０１８８】
１  スマートフォン
２  タッチスクリーンディスプレイ
２Ａ  ディスプレイ
２Ｂ  タッチスクリーン
３  ボタン
４  照度センサ
５  近接センサ
６Ａ  第１通信ユニット
６Ｂ  第２通信ユニット
７  レシーバ
８  マイク
９  ストレージ
９Ａ  制御プログラム
９Ｂ  メールアプリケーション
９Ｃ  ブラウザアプリケーション
９Ｄ  ナビゲートアプリケーション
９Ｅ  音楽プレイヤーアプリケーション
９Ｆ  カレンダーアプリケーション
９Ｇ  計算機アプリケーション
９Ｚ  設定データ
１０  コントローラ
１１  スピーカ
１２，１３  カメラ
１４  コネクタ
１５  加速度センサ
１６  方位センサ
１７  ジャイロスコープ
１８  発光部
１９  バイブレータ
２０  ハウジング
４０  ホーム画面
４５  通話設定インターフェース
４６  第１ユーザインタフェース
４７  第２ユーザインタフェース
５０  アイコン
【図１】
0005466726.tif 000002
【図２】
0005466726.tif 000003
【図３】
0005466726.tif 000004
【図４】
0005466726.tif 000005
【図５】
0005466726.tif 000006
【図６】
0005466726.tif 000007
【図７】
0005466726.tif 000008
【図８】
0005466726.tif 000009
【図９】
0005466726.tif 000010
【図１０】
0005466726.tif 000011
【図１１】
0005466726.tif 000012
【図１２】
0005466726.tif 000013
【図１３】
0005466726.tif 000014
【図１４】
0005466726.tif 000015
【図１５】
0005466726.tif 000016
【図１６】
0005466726.tif 000017
【図１７】
0005466726.tif 000018
【図１８】
0005466726.tif 000019
【図１９】
0005466726.tif 000020
【図２０】
0005466726.tif 000021
【図２１】
0005466726.tif 000022
【図２２】
0005466726.tif 000023
【図２３】
0005466726.tif 000024
【図２４】
0005466726.tif 000025
【図２５】
0005466726.tif 000026
【図２６】
0005466726.tif 000027
【図２７】
0005466726.tif 000028
【図２８】
0005466726.tif 000029
【図２９】
0005466726.tif 000030
【図３０】
0005466726.tif 000031